(57)【要約】  リングバインダーが開示される。本発明のリングバインダーは荷重を支持する一対のフレームと、前記一対のフレーム上にそれぞれ配置され、前記一対のフレームの作動時に連動して開閉されることによって文書を綴じる一対の半円リングと、前記フレームの一側端部が挿入されることによって一対のフレームを固定させる固定部材と、を含む。このようなリングバインダーはその構造を改善して体積を縮小しても十分な剛性を維持するので文書を效率的に綴じることができる長所がある。また、リングバインダーの構造を多様に変更することによって設計の多様化を図ることができる長所がある。
2010510902.tif 000002
【特許請求の範囲】
【請求項１】
荷重を支持する一対のフレームと、
前記一対のフレーム上にそれぞれ配置され、それぞれの端部に突起及び挿入溝が形成され前記突起が挿入溝にそれぞれ挿入されることによって互いに結合され、前記一対のフレームの作動時に連動して開閉されることによって文書を綴じる一対の半円リングと、
前記フレームの一側端部が挿入されることによって一対のフレームを固定させる固定部材と、を含むリングバインダー。
【請求項２】
前記一対のフレームは互いに上下又は水平に配置される第１及び第２フレームからなり、連結部材によって互いに固定される請求項１に記載のリングバインダー。
【請求項３】
前記一対の半円リングは前記第１フレームに連結される第１半円リング、前記第２フレームに連結される第２半円リングからなり、前記第１半円リングには第１突起及び第１挿入溝が形成され、前記第２半円リングには第２突起及び第２挿入溝が形成されて前記第１半円リングの突起が挿入溝にそれぞれ挿入されることによって互いに結合される請求項２に記載のリングバインダー。
【請求項４】
前記一対の半円リングは前記第１及び第２フレームから突出された突起にそれぞれ挿入されるかまたは熔接によって固定される請求項２に記載のリングバインダー。
【請求項５】
互いに並んで配置されて荷重を支持する一対のフレームと、
前記一対のフレーム上に所定間隔に配置され、それぞれの端部に突起及び挿入溝が形成され前記突起が挿入溝にそれぞれ挿入されることによって互いに結合され、前記一対のフレームの作動時に連動して開閉されることによって文書を綴じる一対の半円リングと、
前記一対のフレームを水平状態に配置して互いに連結させて固定する連結部材と、
前記一対のフレームのうちいずれか一つのフレームの上部に並んだ方向に配置されて補強する補強軸と、
前記一対のフレームの一側端部を固定して開閉可能な固定部材と、
前記補強軸の一端に具備されその内部に受納可能な空間が設けられる受納栓と、を含むリングバインダー。
【請求項６】
前記一対のフレームは第１及び第２フレームからなり、前記第１フレームには第１半円リングが具備され、第２フレームには第２半円リングが具備され、前記第１半円リングは第１突起及び第１挿入溝が形成され、前記第２半円リングには第２突起及び第２挿入溝が形成され、前記第１半円リングの突起が挿入溝にそれぞれ挿入されることによって互いに結合される請求項５に記載のリングバインダー。
【請求項７】
前記固定部材は一側に具備され第１フレームの一端が挿入される挿入部、他側に具備され第２フレームを所定位置に固定させる突出部からなり、前記突出部の一側には隙間が形成されることにより前記第２フレームの一側が引っ掛かる請求項５に記載のリングバインダー。
【請求項８】
互いに並んで配置されて荷重を支持し、半円形状の断面を有する一対のフレームと、
前記一対のフレーム上に少なくとも一つ以上配置され、それぞれの端部に突起及び挿入溝が形成されて前記突起が挿入溝にそれぞれ挿入されることによって互いに結合され、前記一対のフレームの作動時に連動して開閉されることによって文書を綴じる一対の半円リングと、
前記一対のフレームを水平状態に配置して互いに連結させて固定する連結部材と、
内側面が前記一対のフレームの一側端部の外側面を囲むように配置され前記一対のフレームを内側方向に密着させる固定部材と、を含むリングバインダー。
【請求項９】
内部に空間が形成され、一側に内部と連通される孔が形成される第１フレームと、
前記第１フレームの内部に並んだ方向に配置される第２フレームと、
前記第１フレームに連結され第１突起及び第１挿入溝が形成される第１半円リングと、
前記第２フレームに連結され、第２突起及び第２挿入溝が形成されて前記第１半円リングの突起が挿入溝にそれぞれ挿入されることによって互いに結合されて前記第１半円リングに結合又は分離される第２半円リングと、
前記第２半円リングの一側端部に連結され前記第１フレームの孔を通して外部に突出されるハンドルと、を含み、前記ハンドルを引っ張るかまたは押す場合前記第１及び第２半円リングが互いに結合されるかまたは分離されるリングバインダー。
【請求項１０】
半円断面形状を有し、一側端の下部に凹溝が形成される第１フレームと、
半円断面形状を有し、枠が前記第１フレームの凹溝に挿入される第２フレームと、
前記第１及び第２フレームが互いに結合された状態で第１及び第２フレームを固定させる連結部材と、
前記第１及び第２フレームにそれぞれ連結され、半円形状を有する第１及び第２支持台と、
前記第１及び第２支持台の内側又は外側に具備され、それぞれの端部に突起及び挿入溝が形成され前記突起が挿入溝にそれぞれ挿入されることによって互いに結合され、前記第１及び第２フレームを作動する場合、開閉される第１及び第２半円リングと、
前記第１及び第２フレームの一側端部を固定させる固定部と、を含むリングバインダー。
【請求項１１】
前記第１及び第２支持台は互いに噛み合わないように配置される請求項１０に記載のリングバインダー。
【請求項１２】
荷重を支持するフレームと、
半円形状を有し、それぞれの端部に突起及び挿入溝が形成され前記突起が挿入溝にそれぞれ挿入されることにより互いに結合され、一端部が前記フレーム上に移送可能に挿入される複数の半円リングと、
前記複数の半円リングを互いに引っ張ることにより互いに結合状態を維持させるワイヤと、
前記複数の半円リングを互いに押して互いに分離させるスプリング部材と、
前記フレームとワイヤを操作する操作部と、を含むリングバインダー。
【請求項１３】
前記第１半円リングの一端には前記フレームが貫通する第１プレートと、前記第２半円リングの一端には前記フレームが貫通する第２プレートと、が具備され、前記第１プレートには前記第２プレートが内部に挿入されて固定されるガイドを含む請求項１２に記載のリングバインダー。
【請求項１４】
前記スプリングは第１プレートに支持される第１脚部と、第２プレートに支持される第２脚部と、第１及び第２脚部を連結して弾性力を発生させる弾性部と、からなる請求項１２に記載のリングバインダー。
【請求項１５】
前記操作部は、ケースと、前記フレームの一端に延長形成され、前記ケースの内部を貫通して外部に突出されるハンドルと、前記ワイヤに連結された状態で前記ハンドルに順次に引っ掛かることによりワイヤの長さを制御する移動ハンドルと、を含む請求項１２に記載のリングバインダー。
【請求項１６】
荷重を支持するフレームと、
前記フレーム上に装着され、外力が作用する場合、前後方へ移動することができ、端部に第１突起及び第１挿入溝が形成される第１半円リングと、
前記フレーム上に装着され、フレームを中心に回転することができ、端部に第２突起及び第２挿入溝が形成されることにより前記第１半円リングの第１突起及び第１挿入溝と結合又は分離される第２半円リングと、
前記第１半円リングを互いに連結して前記フレームに沿って一側に引っ張るワイヤと、
前記ワイヤの端部に連結されてワイヤを操作できるハンドルと、を含むリングバインダー。
【請求項１７】
前記フレームは半円形状の断面を有することにより前記フレームを挿入することができ、前記フレームの一側には突起が突出形成され前記第１半円リングの内部面に形成された溝に挿入され、反対面には固定子が具備されることにより前記第１半円の回転を防止する請求項１６に記載のリングバインダー。
【請求項１８】
前記固定子は一対の垂直バーからなり、一対の垂直バーは第１半円リングの両側面に装着される請求項１７に記載のリングバインダー。
【請求項１９】
前記第２半円リングは前記フレームに挿入されるリング部と、前記リング部の両側に挿入されることによって前記第２半円リングがフレーム方向へ移動することを防止する固定リングと、前記第２半円リングとフレームとの間に具備される織物材と、を含む請求項１６に記載のリングバインダー。
【請求項２０】
前記ハンドルは連結具を介して前記ワイヤに連結され、前記ワイヤは前記フレームに連結部材によって支持されることによって、前記ハンドルを引っ張る場合、前記第２半円リングを引っ張る請求項１６に記載のリングバインダー。
【請求項２１】
荷重を支持するフレームと、
前記フレーム上に固定的に配置され、その上端部にギアが形成される第１半円リングと、
前記フレーム上に移動可能であり、前記第２半円リングと所定距離離隔して配置され、その上部にギアが形成されることによって前記第１半円リングのギアと結合または分離される第２半円リングと、
前記第２半円リングの下端部に具備され前記ワイヤが連結される固定子と、前記フレーム上に配置され前記第２半円リングに連結されることによって前記第２半円リングを引っ張るかまたは押して第１及び第２半円リングを互いに結合または分離させるワイヤと、を含むリングバインダー。
【発明の詳細な説明】
【技術分野】
【０００１】
本発明はリングバインダーに関し、さらに詳しくはその構造を改善し、多様化することによって性能と使用性が向上したリングバインダーに関する。
【背景技術】
【０００２】
一般に文書を保管するためにリングバインダーが用いられる。このようなリングバインダーは文書に穿孔される穴の数によって２穴又は３穴バインダーに分類される。
【０００３】
一般的にリングバインダーは、ハウジングと、前記ハウジング上にヒンジ可能に装着され必要時に互いに対してピボット運動をすることによってスナップ結合される複数の半円リングと、複数の半円リングを互いに連結して共にピボット運動させるフレームと、を含む。
【０００４】
したがって、このような構造のリングバインダーは、フレームを押したり引いたりする場合、複数の半円リングが中心方向に対してピボット運動をしてスナップ結合又は分離されることによって文書を綴じるかまたは分離できる。
【０００５】
しかし、このような従来のリングバインダーは、文書を固定するために一定の剛性を有する必要があるため、体積が増加して製造原価が上昇するという問題点がある。
【０００６】
また、従来のリングバインダーは、その構造及び形状が単純なため設計及び美観的な側面において限定されるという問題がある。
【先行技術文献】
【特許文献】
【０００７】
【特許文献１】実開昭６２−１６６０７３号公報
【発明の開示】
【発明が解決しようとする課題】
【０００８】
したがって、本発明は前記のような問題点を解消するために考案したものであり、本発明の目的は、その構造を改善して体積を縮小しても十分な剛性を維持できるので文書を效率的に綴じることができるリングバインダーを提供することにある。
【０００９】
また、本発明の他の目的は、リングバインダーの構造を多様に変更することにより設計の多様化を図ることができるリングバインダーを提供することにある。
【００１０】
さらに、本発明のまた他の目的は、互いに噛み合う半円リングの構造を改善することにより結合力を向上させることができるリングバインダーを提供することにある。
【課題を解決するための手段】
【００１１】
このような本発明の目的を達成するために、本発明は、荷重を支持する一対のフレームと、前記一対のフレーム上にそれぞれ配置され、前記一対のフレームの作動時に連動して開閉されることによって文書を綴じる一対の半円リングと、前記フレームの一側端部が挿入されることによって一対のフレームを固定させる固定部材と、を含むリングバインダーを提供する。
【発明の効果】
【００１２】
本発明によるリングバインダーは、その構造を改善して体積を縮小しても十分な剛性を維持するので、文書を效率的に綴じることができる長所がある。
【００１３】
また、半円リングの結合状態をさらに強くすることにより相対的にフレームのサイズを小さく設計できる長所がある。
【００１４】
さらに、リングバインダーの構造を多様に変更することにより設計の多様化を図ることができる長所がある。
【図面の簡単な説明】
【００１５】
【図１】本発明の好ましい第１実施の形態によるリングバインダーを図示する斜視図である。
【図２】図１に示す半円リング及びフレームの構造を示す側面図である。
【図３Ａ】図２に示す第１及び第２半円リングの結合部を拡大して示す部分拡大図である。
【図３Ｂ】図２に示す第１及び第２半円リングの結合構造の他の実施の形態を示す側面図である。
【図４】本発明の好ましい第２実施の形態によるリングバインダーを図示する斜視図である。
【図５】図４に示す半円リング及びフレームの構造を示す側面図である。
【図６Ａ】図４に示す半円リングとフレームとの結合関係を示す平面図である。
【図６Ｂ】図６Ａに示す半円リングとフレームの他の実施の形態を示す平面図である。
【図７】本発明の好ましい第３実施の形態によるリングバインダーを図示する斜視図である。
【図８】図７に示す半円リングと作動レバーの構造を示す側面図である。
【図９】図７に示す受納栓を示す部分拡大図である。
【図１０】本発明の好ましい第４実施の形態によるリングバインダーを図示する斜視図である。
【図１１】図１０に示す半円リング及びフレームの構造を示す側面図である。
【図１２】本発明の好ましい第５実施の形態によるリングバインダーを図示する斜視図である。
【図１３】図１２に示す半円リングと作動レバーの構造を示す側面図である。
【図１４】本発明の好ましい第６実施の形態によるリングバインダーの構造を図示する斜視図である。
【図１５】図１４に示すリングバインダーの構造を図示する側断面図である。
【図１６】図１４に示す半円リングとフレームとの結合関係を分解して示す側断面図である。
【図１７】図１７は、図１４に示すリングバインダーの他の実施の形態を示す側断面図である。
【図１７Ａ】図１７に示すリングバインダーの構造を分離して示す側断面図である。
【図１８】本発明の好ましい第７実施の形態によるリングバインダーを図示する斜視図である。
【図１９】図１８に示すハンドルの内部構造を示す構造図である。
【図２０】本発明の好ましい第８実施の形態によるリングバインダーを図示する斜視図である。
【図２１】図２０に示すフレームとワイヤを示す部分斜視図である。
【図２２】図２０に示す第１半円リングとフレームとの結合関係を示す側面図である。
【図２３】図２２に示すフレームの一側面を示す斜視図である。
【図２４】図２２に示すフレームの他側面を示す斜視図である。
【図２５】図２４に示す固定子を示す斜視図である。
【図２６】図２０に示す第２半円リングとフレームの結合関係を示す斜視図である。
【図２７】図２６に示す第２半円リングの他の実施の形態を示す側面図である。
【図２８】図２０に示す第１半円リングの他の実施の形態を示す斜視図である。
【図２９】図２６に示す第２半円リングのまた他の実施の形態を示す斜視図である。
【図３０】図２０に示すハンドルを示す部分斜視図である。
【図３１】図３０の側面図である。
【図３２】本発明の好ましい他の実施の形態によるリングバインダーを示す部分斜視図である。
【発明を実施するための形態】
【００１６】
以下、添付図面を参照して本発明の好ましい実施の形態によるリングバインダーについて詳しく説明する。
【００１７】
図１乃至図３に示すように、本発明が提案するリングバインダー１は、荷重を支持するフレーム３と、前記フレーム３上に配列され開閉可能であることにより文書を固定する一対の半円リング５と、前記フレーム３の一側を固定させる固定部材７と、を含む。
【００１８】
このような構造を有するリングバインダーにおいて、前記フレーム３は互いに並んで配置される第１及び第２フレーム１１、１３からなる。
【００１９】
前記第１及び第２フレーム１１、１３は所定強度を有するワイヤ形状を有する。このような第１及び第２フレーム１１、１３は上下に配置され連結部材９によって互いに連結される。
【００２０】
この時、前記連結部材９は適切な弾性力を有する材質で形成され、第１フレーム１１と接触する内側面は自由端の状態であり、第２フレーム１３と接触する内側面は熔接などによって一体に連結される。
【００２１】
そして、前記連結部材９は弾性力を有するため第１及び第２フレーム１１、１３を上下に配置された状態から一定の張力で引っ張ることになる。
【００２２】
したがって、第１フレーム１１はこのような連結部材９によって外力が作用する場合、即ち、一対の半円リング５が開放される場合、第２フレーム１３の上面に沿って下部に移動して水平状態に配置されることができる。
【００２３】
このような第１及び第２フレーム１１、１３には一対の半円リング５がそれぞれ連結される。即ち、前記一対の半円リング５は第２フレーム１３に固定される第１半円リング１５と第１フレーム１１に固定される第２半円リング１７とからなる。
【００２４】
そして、前記第１及び第２半円リング１５、１７は、図３Ａに示すように、その上端は互いに噛み合う形状を有することにより必要時に結合又は分離されて開閉できる。
【００２５】
即ち、第１半円リング１５の一端部には第１突起１５ａが突出形成され、隣接した位置には第１挿入溝１５ｂが形成される。また、第２半円リング１７の一端部にも第２突起１７ａ及び第２挿入溝１７ｂが形成される。したがって、第１半円リング１５が第２半円リング１７に結合される場合、第１突起１５ａは第２挿入溝１７ｂに挿入され、第２突起１７ａは第１挿入溝１５ｂに挿入される。
【００２６】
そして、前記第１及び第２半円リング１５、１７が互いに結合する場合、強い結合力によって結合されるので、フレーム１１、１３に作用する外力が第１及び第２半円リング１５、１７にも分散されて作用するようになる。
【００２７】
結果的に、フレーム１１、１３は第１及び第２半円リング１５、１７がフレーム１１、１３の長さ方向に沿って移動する場合、直進性のみを維持すればいいので厚さ又は直径を減少させても外力に対して十分な支持力を発生できる。
【００２８】
このようにフレーム１１、１３を薄くしても半円リングが上下部に結合されるようにし、この半円リング１５、１７が互いに連結されることによってスプリング構造を有する場合、追加フレームを省略しても組み立てた状態で半円リング１５、１７が互いに噛み合っているため半円リングだけでかなりの支持力を発生できる。
【００２９】
上記のような構造を有する第１及び第２半円リング１５、１７は、以下で説明する全ての実施の形態に適用されるので同じ説明については省略する。
【００３０】
そして、図３Ｂにはこのような第１及び第２半円リングの他の実施の形態が図示される。即ち、第２半円リング１７の一端部には突起１７ａが具備され、第１半円リング１５の一端部には挿入溝１５ａが形成される。
【００３１】
この時、前記突起１７ａは第２半円リング１７の一側面に熔接などによって一体に具備される。
【００３２】
したがって、第２半円リング１７が第１半円リング１５に結合される場合、突起１７ａは挿入溝１５ａに挿入されることによって第１及び第２半円リング１７、１５が互いに結合される。
【００３３】
また、図１乃至図３を参照すれば、前記第１及び第２フレーム１１、１３の一端に具備される固定部材７は四角断面の形状を有し、その内部には中空が形成される。したがって、前記第１及び第２フレーム１１、１３の一側端部がこの中空を通して貫通することによって固定部材７に固定され得る。
【００３４】
このような構造を有するリングバインダーを作動させる過程について説明すれば、前記一対の半円リング１５、１７を開放する場合には、前記固定部材７を上部に引っ張って第１及び第２フレーム１１、１３の一端部から分離する。
【００３５】
この状態で、第１フレーム１１を側方向に押して第２フレーム１３の側方向に位置するように移動させる。結局、第１及び第２フレーム１１、１３は水平方向に配置される。
【００３６】
この時、前記第１半円リング１５は第２半円リング１７に連結された状態であるので、第１フレーム１１が側方向へ移動することに伴って第２半円リング１７も第１半円リング１５から分離されることによって第１及び第２半円リング１５、１７の結合状態が解除されて開放状態になる。したがって、開放状態のリングバインダー１７に書類を綴じるかまたは分離させることができる。
【００３７】
逆に、リングバインダー１を閉じる場合、水平方向に配置された第１及び第２フレーム１１、１３において、第１フレーム１１を上方に押して移動させる。第１フレーム１１が第２フレーム１３の上部に位置すると、第１フレーム１１に一体に具備された第２半円リング１７の端部が第１半円リング１５に結合されることによって一対の半円リング１５、１７が互いに結合されて閉じられた状態となる。
【００３８】
そして、固定部材７を第１及び第２フレーム１１、１３の端部に挿入することによって固定する。
【００３９】
一方、図４乃至図６には本発明の好ましい他の実施の形態が図示される。本実施の形態では第１及び第２フレーム２６が水平方向に配置されるという相違点があり、一対の半円リング２７の結合構造において相違点がある。
【００４０】
さらに詳しく説明すれば、前記第１及び第２フレーム２２、２４は互いに水平方向に配置され、連結部材２５によって一体に固定される。そして、第１及び第２フレーム２２、２４の側方向には少なくとも一つ以上の突起３０、３１がそれぞれ形成され、この突起３０、３１には一対の半円リング２８、２９がそれぞれ挿入される。
【００４１】
即ち、第１半円リング２８は第１フレーム２２の突起３０に挿入され、第２半円リング２９は第２フレーム２４の突起３１に挿入される。
【００４２】
したがって、第１及び第２半円リング２８、２９は必要時に第１及び第２フレーム２２、２４の突起３０、３１から分離するかまたは挿入できる。
【００４３】
上記のように第１及び第２半円リング２８、２９が突起３０、３１に挿入方式によって結合されることができるが、図６Ｂに示すように、熔接方式によって一体に結合されることもできる。
【００４４】
即ち、第１及び第２フレーム２２、２４から突出された一対の突起３０、３１の一側に第１及び第２半円リング２８、２９が熔接方式によって熔接されることによって一体に連結される方式である。
【００４５】
このような構造を有するリングバインダーを作動する場合には、水平方向に並列に配置された第１及び第２フレーム２２、２４のうち、第１フレーム２２を下部に引っ張ることによって第２フレーム２４の下部に移動させる。このような作動によって第１半円リング２８が第２半円リング２９から分離されることによって開放されることができる。
【００４６】
逆方向に第１フレーム２２を移動させる場合には、第１半円リング２８が第２半円リング２９に結合されることによって閉じられた状態になることができる。
【００４７】
一方、図７乃至図９には本発明の好ましいまた他の実施の形態によるリングバインダーが図示される。本実施の形態においてはフレームに補強軸を設置したという相違点がある。
【００４８】
即ち、図示のように、リングバインダー３３は互いに並んで配置される第１及び第２フレーム３４と、第１及び第２フレーム３４を互いに連結させて固定する連結部材５２と、前記第１フレーム３５の上部に連結されて補強する役割を担う補強軸４３と、前記第１及び第２フレーム３４の一端部を固定する固定部材４７と、前記補強軸４３の一端に具備された受納栓５１と、を含む。
【００４９】
このような構造を有するリングバインダーにおいて、前記第１及び第２フレーム３４、連結部材５２は前記した実施の形態と同じであるので詳しい説明は省略する。
【００５０】
前記補強軸４３は複数の連結バー４５によって第１フレーム３５に連結される。したがって、このような補強軸４３によって第１フレーム３５の剛性を補強することによって所定限界以上の外力が作用する場合にも第１及び第２フレーム３４が破損されることを防止できる。
【００５１】
そして、前記固定部材４７は一側に具備され第１フレーム３５の一端が挿入される挿入部４８と、他側に具備され第２フレーム３７を所定位置に固定させる突出部４８と、からなる。この時、前記突出部４８の一側には隙間５０が形成される。
【００５２】
この隙間５０には前記第２フレーム３７の一端が位置することによって所定位置に固定され得る。
【００５３】
したがって、前記固定部材４７を反時計回りに回転させる場合、突出部４８の隙間５０に挿入されることで第２固定部材３３を固定させるかまたは解除できる。
【００５４】
逆に、前記固定部材４７を時計回りに回転させる場合、第２フレーム３７が突出部４８の隙間５０から離脱されることによって第２フレーム３７が自由状態となり、一側に捲る場合、第１及び第２半円リング３８の結合状態が解除され得る。
【００５５】
そして、前記受納栓５１は補強軸４３の一端に具備され鉛筆などのような必要な文具を受納できる。このような受納栓５１は図９に示すように、補強軸４３の一端に開閉可能に具備される。したがって、必要時にこの受納栓５１を開放して文具を補強軸４３の内部に受納して閉じることができる。
【００５６】
一方、図１０および図１１には本発明の好ましいさらに他の実施の形態が図示される。本実施の形態は第１及び第２フレーム５６の形状において相違点がある。
【００５７】
即ち、第１及び第２フレーム５７、５８からなる一対のフレーム５６はそれぞれ半円形状を有する。そして、連結部材６０によって第１及び第２フレーム５７、５８が互いに弾力的に連結される。
【００５８】
この時、前記連結部材６０の一側内周面は第１フレーム５７の外側面に付着され、他側内周面は第２フレーム５８の外側面に付着される。
【００５９】
そして、このような連結部材６０の両端部は互いに離隔する形態であり、材質は弾力性を有する材質で形成されることにより、内側方向に加圧される状態を維持する。
【００６０】
したがって、第１及び第２フレーム５７、５８はこのような連結部材６０の弾性力によって内側方向に加圧される状態である。
【００６１】
このような第１及び第２フレーム５７、５８を外側方向に引っ張る場合、外力が連結部材６０の弾性力に勝ることにより連結部材６０が外側方向に広げられるようになる。
【００６２】
結果的に、第１及び第２半円リング６１の結合が解除されることによって書類をリングバインダーから分離できる。
【００６３】
一方、図１２及び図１３には本発明の好ましいまた他の実施の形態が図示される。図示のように、本実施の形態は第１フレーム６５の内部に第２フレーム６６が配置されるという相違点がある。
【００６４】
即ち、前記第１フレーム６５は内部に一定の直径の空間が形成される管体形状を有し、一側には開放口ｈが形成される。そして、管体形状の第１フレーム６５の内部には第２フレーム６６が長さ方向に沿って配置される。
【００６５】
この時、一対の半円リング６７のうち第１半円リング６８は第１フレーム６５に連結され、第２半円リング６９は第２フレーム６６の一側面に連結される。
【００６６】
そして、第２半円リング６９は第１フレーム６５の一側面の開放口ｈを通して突出した状態で第１半円リング６８と結合される。
【００６７】
また、前記第２フレーム６６の一端は第１フレーム６５上に形成された孔７１を通して上部に突出される。
【００６８】
この時、前記第１フレーム６５上に形成された孔７１は、好ましくは左右反転Ｌ字形状である。
【００６９】
したがって、第２フレーム６６の一端を側方向に押して回転させると、第２半円リング６９も回転するので第１半円リング６８との結合状態が解除される。
【００７０】
そして、前記第２フレーム６６を前方に押すかまたは後方に引っ張る場合、第１半円リング６８と第２半円リング６９が前方又は後方へ移動することによって第１及び第２半円リング６８、６９が結合位置に移動するか、互いに噛み合わなくなる。
【００７１】
また、前記第１及び第２フレーム６５、６６は固定部Ｓによってその端部が固定され得る。このような固定部Ｓは好ましくは六面体形状を有し、前記第１及び第２フレーム６５、６６の端部が挿入される溝が形成される。
【００７２】
したがって、このような固定部Ｓを第１及び第２フレーム６５、６６の端部に挿入する場合は固定することができ、分離する場合は解除できる。
【００７３】
したがって、第２フレーム６６の操作によって第１及び第２半円リング６８、６９が互いに結合されることによって文書を綴じるようになる。
【００７４】
この時、第１半円リング６８と第２半円リング６９は上述のように各突起が挿入溝に挿入されている状態であるので、半円リング６８、６９の開閉方向に対して十分な結合力を維持できる。
【００７５】
したがって、前記第１及び第２フレーム６５、６６は第１及び第２半円リング６８、６９の直進方向を誘導するだけで良いのでその直径を最小化できる。
【００７６】
本発明の好ましいさらに他の実施の形態が図１４乃至図１６に図示される。図示のように、本実施の形態によるリングバインダーは第１フレーム７２と、前記第１フレーム７２の下部に位置する第２フレーム７３と、第１及び第２フレーム７２、７３を一体に束ねる連結部材７４と、第１及び第２フレーム７２、７３にそれぞれ連結される第１及び第２支持台７９、７８と、前記第１及び第２支持台７９、７８にそれぞれ固定され文書を綴じる第１及び第２半円リング７６、７７と、第１及び第２半円リング７６、７７を固定させる固定部Ｓと、を含む。
【００７７】
このような構造を有するリングバインダーにおいて、前記第１及び第２フレーム７２、７３は連結部材７４によって互いに連結され、第１フレーム７２は連結部材７４に熔接などによって固定された状態であり、第２フレーム７３は自由状態である。
【００７８】
したがって、第１フレーム７２を中心に第２フレーム７３は時計回り又は半時計回りに回転可能である。
【００７９】
そして、前記第１支持台７９は第１フレーム７２の一側に側方向に突出した構造を有する。
【００８０】
即ち、前記第１支持台７９の一側面７９ｂは、第１フレーム７２に熔接などによって一体に連結され、他側面７９ａは第１半円リング７７の内周面に付着される。
【００８１】
そして、第１支持台７９の曲線面７９ｃは凹形状を有し、第２フレーム７３の外周面に付着されることなく接触した状態である。
【００８２】
また、第１半円リング７７は第１支持台７９の外側に付着した状態であって、第１フレーム７２には連結されていない構造である。
【００８３】
したがって、第１半円リング７７を第２半円リング７６と結合又は分離する場合、前記第１フレーム７２を回転させると、第１支持台７９が共に回転することにより第１半円リング７７も回転するようになる。
【００８４】
前記第２支持台７８は第２フレーム７３の一側に側方向に突出した構造を有する。即ち、前記第２支持台７８の一側面７８ａは第２フレーム７３に熔接などによって一体に連結され、他側面７８ｂは第２半円リング７６の内周面に付着される。
【００８５】
この時、第２半円リング７６は第２支持台７８の外側に付着した状態であって第２フレーム７３には連結されていない構造である。
【００８６】
前記のような構造を有する半円リング及び支持台を互いに結合させる場合、前記第２支持台７８を第１支持台７９の曲線面７９ｃに接触させ、連結部材７４で第１及び第２フレーム７２、７３を固定させることによって結合され得る。
【００８７】
この状態で、第１及び第２半円リング７６、７７を分離する場合、第１フレーム７２は固定された状態であるので、第２フレーム７３を側方向に押して第１及び第２半円リング７６、７７を互いに分離させる。
【００８８】
そして、第１及び第２半円リング７６、７７を第１及び第２フレーム７２、７３を中心に外側に引っ張る場合、第１及び第２支持台７９、７８が回転することによって第１及び第２半円リング７６、７７が互いに分離され得る。
【００８９】
一方、前記実施の形態では第１及び第２支持台７９、７８の外周面に第１及び第２半円リング７６、７７が付着される場合について説明したが、図１７及び図１７Ａに示す他の実施の形態においては第１及び第２支持台８２、８３の外周面８２ａ、８３ａに第１及び第２半円リング８０、８１が付着される。
【００９０】
即ち、第１支持台８２の一側面８２ｂが第１フレーム７７に連結され、外周面８２ａに第１半円リング８０が熔接又は付着などの方法によって固定される。
【００９１】
そして、第１支持台８２の曲線面８２ｃは凹形状に形成され、第２フレーム７６がこの曲線面８２ｃに固定されることなく接触する。
【００９２】
また、第２支持台８３の一側面８３ｂは第２フレーム７６に連結され、外周面８３ａは第２半円リング８１に付着される。
【００９３】
したがって、第１及び第２支持台８２、８３を回転させることにより第１及び第２半円リング８０、８１を結合又は解除させることができる。
【００９４】
一方、図１８及び図１９には本発明の好ましいまた他の実施の形態によるリングバインダーが図示される。図示のように、本実施の形態によるリングバインダー８５はフレーム８６と、フレーム８６上に移送可能に配列され互いに結合状態を維持する複数の半円リング８８と、前記半円リング８８を互いに引っ張ることによって互いに結合状態を維持させるワイヤ８７と、前記半円リング８８を互いに押して互いに分離させるスプリング部材９３と、前記フレーム８６とワイヤ８７とを操作する操作部９９と、を含む。
【００９５】
このような構造を有するリングバインダーにおいて、前記複数の半円リング８８はそれぞれ第１及び第２半円リング８９、９０からなり、前記フレーム８６上に配列される。
【００９６】
複数の半円リング８８は上述のように突起によって結合されているので、結合状態を安定的に維持できる。
【００９７】
そして、複数の半円リング８８の間には弾性部材９８が配置されることによって半円リング８８間の間隔を一定に維持する。
【００９８】
また、第１半円リング８９の一端には第１プレート９１が連結され、第２半円リング９０の一端には第２プレート９７が連結される。そして、フレーム８６が第１及び第２プレート９１、９７をそれぞれ貫通することによって半円リング８８がフレーム８６上に固定される。
【００９９】
そして、第１プレート９１の一側面にはガイド９２が具備される。このガイド９２は反転したコ字形状の断面を有するので前記第２プレート９７がその内部に挿入されて一定の形態に固定され得る。
【０１００】
即ち、前記ワイヤ８７を引っ張る場合、第２半円リング９０が引っ張られて第１半円リング８９の方向へ移動するようになり、第２プレート９７がガイド９２に挿入されて固定され、第１及び第２半円リング８９、９０が互いに結合されることができる。
【０１０１】
そして、前記スプリング９３はこのような第１及び第２半円リング８９、９０を弾性力によってフレーム８６方向に押し出すことによって互いに分離させる。
【０１０２】
即ち、前記スプリング９３は第１プレート９１に支持される第１脚部９５と、第２プレート９７に支持される第２脚部９６と、第１及び第２脚部９５、９６を連結して弾性力を発生させる弾性部９４と、からなる。
【０１０３】
このようなスプリング９３は、好ましくは圧縮スプリングであるので、第１及び第２プレート９１、９７をフレーム８６に沿って互いに反対方向に押し出すことによって第１及び第２半円リング８９、９０を互いに分離させる。
【０１０４】
そして、前記ワイヤ８７は一般的な形状のワイヤを含み、複数の第２半円リング９０を互いに連結する。したがって、このワイヤ８７を引っ張る場合、複数の第２半円リング９０が引っ張られて複数の第１半円リング８９と互いに結合するようになる。
【０１０５】
もちろん、以上ではワイヤに限定して説明したが、本発明はこれに限定されるものではなく、繊維材質の紐、ゴムなどの材質を含む。
【０１０６】
そして、前記操作部９９はこのようなフレーム８６及びワイヤ８７を操作することによって半円リング８８の開閉を制御する。
【０１０７】
このような操作部９９はケース１００と、前記フレーム８６の一端に延長形成され前記ケース１００の内部を貫通して外部に突出されるハンドル１０４と、前記ワイヤ８７に連結された状態で前記ハンドル１０４に順次に引っ掛かることによりワイヤ８７の長さを制御する移動ハンドル１０１と、を含む。
【０１０８】
前記ハンドル１０４には複数のねじ山１０３が形成される。そして、このねじ山１０３には前記移動ハンドル１０１が噛み合う。このような移動ハンドル１０１はその下部に引っ掛かり片１０２が装着され前記ねじ山１０３に順次に引っ掛かる。
【０１０９】
したがって、移動ハンドル１０１を引っ張る場合、引っ掛かり片１０２が複数のねじ山１０３に順次に引っ掛かってワイヤ８７の長さを適切に調節できる。
【０１１０】
逆に、移動ハンドル１０１を前方に押す場合、移動ハンドル１０１を上方に持ち上げるとスプリング９３の弾性力によって前方へ移動し、適当な位置で下部に押すことにより引っ掛かり片１０２がねじ山１０３に引っ掛かる。
【０１１１】
一方、本発明の好ましい他の実施の形態によるリングバインダーが図２０に図示される。即ち、図示のように、本実施の形態によるリングバインダー１０５はフレーム１０７と、前記フレーム１０７上に複数個が配置され前後方へ移動可能な第１半円リング１０９と、前記フレーム１０７上に複数個が配置されフレーム１０７を中心に回転することができ、前記第１半円リング１０９と互いに結合されることによりスプリングの役割を担う第２半円リング１１０と、前記第１半円リング１０９を互いに連結して一側に引っ張るワイヤ１０８と、前記ワイヤ１０８の端部に連結されてワイヤ１０８を操作できるハンドル１４０と、を含む。
【０１１２】
このような構造を有するリングバインダーにおいて、前記フレーム１０７は図２１乃至図２３に示すように、好ましくは半円形状の断面を有する。そして、前記第１半円リング１０９がこのフレーム１０７に挿入されることによってフレーム１０７に沿って前後方に移動することができる。一方、第１半円リング１０９の回転運動は制限されている。
【０１１３】
即ち、フレーム１０７の一側面には突起１２３が突出形成され、反対面には固定子１２５が具備される。
【０１１４】
前記突起１２３はフレーム１０７の外周面で所定長さに突出された形状を有し、第１半円リング１０９の内周面に形成された溝１２２に挿入される。したがって、第１半円リング１０９がフレーム１０７を中心に時計回り又は半時計回りに回転することを防止する。
【０１１５】
そして、前記突起１２３は図２２乃至図２５に示すように、四角断面を有することにより第１半円リング１０９の溝１２２に挿入される場合、外力が第１半円リング１０９に作用する場合、第１半円リング１０９がフレーム１０７の軸方向に沿って移動するように案内する役割を担う。
【０１１６】
また、前記固定子１２５は一対の垂直バーからなり、一対の垂直バーは第１半円リング１０９の両側面に装着される。そして、一対の垂直バーはワイヤ１０８によって互いに連結され、この状態でフレーム１０７の他側面に接触する。
【０１１７】
したがって、前記ワイヤ１０８を引っ張る場合、前記固定子１２５が引っ張られることにより第１半円リング１０８を引っ張ることができる。
【０１１８】
そして、前記第２半円リング１１０はフレーム１０７上で前後進移動が制限され回転運動のみができる。
【０１１９】
即ち、前記第２半円リング１１０は図２６に示すように、内側板１１１及び外側板１１２が熔接などによって一体に付着した形状を有しリング部１１３を形成する。そして、このリング部１１３は円形断面を有する。したがって、このリング部１１３がフレーム１０７に挿入されることによって回転運動ができる。
【０１２０】
一方、第２半円リング１１０の両側には固定リング１２７が具備されることにより第２半円リング１１０が側方向へ移動することを防止する。このような固定リング１２７はフレーム１０７の外周面に熔接されて固定される。
【０１２１】
したがって、前記第２半円リング１１０はフレーム１０７の軸方向移動は制限され、回転運動のみが可能である。
【０１２２】
このような第２半円リング１１０は、図２７に示すように、その本体１１６が内側及び外側からなる二つの部分でなく一体に形成されることができる。
【０１２３】
前記ワイヤ１０８は一般的な構造のワイヤを含み、ハンドル１４０に連結具１４４を介して連結され、複数の第１半円リング１０９と固定子１２５とを互いに連結する。
【０１２４】
そして、このハンドル１４０はフレーム１０７上に突出した引っ掛かり突起１４６に引っ掛かるかまたは離脱することによってワイヤ１０８を引っ張るかまたは固定する。
【０１２５】
したがって、このワイヤ１０８を引っ張ることにより第１半円リング１０９をフレーム１０７に沿って軸方向へ移動させることができる。
【０１２６】
この時、前記第１及び第２半円リング１０９、１１０はスプリング形状に配置されることによって外力が作用して押される場合、三角形状をなすので剛性がより高くなることができる。
【０１２７】
そして、前記第１及び第２半円リング１０９、１１０は図２８及び図２９に示すような形状であり得る。
【０１２８】
即ち、第１半円リング１３２の一部区間を切開して空間１３６を形成した構造である。そして、前記第２半円リング１１０は一側面に突起１３８が突出形成される。
【０１２９】
したがって、前記第２半円リング１１０が回転する場合、前記突起１３８が第１半円リング１３２の空間内で回転することができる。
【０１３０】
結局、この場合には第２半円リング１１０の回転半径を所定範囲以内に制限できる。
【０１３１】
一方、図３０及び図３１に示すように、前記フレーム１０７及びワイヤ１０８の一側端部にはハンドル１４０が装着されてワイヤ１０８を引っ張ることができる。
【０１３２】
このようなハンドル１４０はＬ字形状を有し、Ｕ字形状を有する連結具１４４を介してワイヤ１０８に連結される。
【０１３３】
そして、前記ハンドル１４０はフレーム１０７の一側の引っ掛かり突起１４６に固定された状態であり、前記ワイヤ１０８はフレーム１０７上に連結部材１４２によって固定される。
【０１３４】
したがって、前記ハンドル１４０を引っ張る場合、引っ掛かり突起１４６から離脱させた後、ハンドル１４０を引っ張るとワイヤ１０８が引っ張られて第１半円リング１０８が前後進する。
【０１３５】
この時、第２半円リング１１０は使用者が人力で引っ張ることによって第１半円リング１０８から分離できる。もちろん、第１及び第２半円リング１０９、１１０を互いに結合する場合にも人力で押して結合できる。
【０１３６】
一方、図３２には本発明の好ましいまた他の実施の形態が図示される。本実施の形態においては第１及び第２半円リング１６２、１６４の端部にギア１７２、１７０が形成されるという相違点がある。
【０１３７】
即ち、フレーム１６０上に第１及び第２半円リング１６２、１６４が具備され、前記第１及び第２半円リング１６２、１６４はワイヤ１６８によって互いに連結された状態である。
【０１３８】
この時、前記第１半円リング１６２の下端部１７９はフレーム１６０に熔接などによって隙間１７５が固定された状態であり、前記第２半円リング１６４はフレーム１６０に挿入されて移動可能な構造である。
【０１３９】
そして、前記ワイヤ１６８は第１半円リング１６２の下端部１７８を貫通して第２半円リング１６４の下端部１７８に具備された固定子１６６に連結される。
【０１４０】
この時、前記固定子１６６は図２４に示す固定子１２５と同じ構造、即ち、一対の垂直バー１７３、１７４からなるので詳しい説明は省略する。
【０１４１】
したがって、前記ワイヤ１６８を引っ張る場合、第２半円リング１６４がフレーム１６０上で移動することができる。
【０１４２】
そして、前記第２半円リング１６４とフレーム１６０との間には、織物材、即ち、ナイロンのような材料を挿入することもできる。このように、織物材を第２半円リング１６４とフレーム１６０の間に具備する場合、第２半円リング１６４がフレーム１６０上に織物材によって圧搾されている状態である。したがって第２半円リング１６４はフレーム１６０上に小さい力では回転することが難しい状態で前後進移動が可能である。
【０１４３】
このような構造を有するリングバインダーにおいて、第１及び第２半円リング１６２、１６４を互いに結合させる場合には、まず、前記ワイヤ１６８を引っ張って第２半円リング１６４を第１半円リング１６２の方向へ移動させ、前記第１半円リング１６２と第２半円リング１６４とが開けられている状態であるので、手動で第１及び第２半円リング１６２、１６４を押すと、ギア１７２、１７０が歯形状であるので、容易に互いに結合されることができる。
【０１４４】
この時、前記第２半円リング１６４は織物材などによってフレーム１６０に圧搾状態に結合された状態であるので、第２半円リング１６４が回転して結合状態が任意に解除されることを防止できる。
【０１４５】
逆に、第１及び第２半円リング１６２、１６４の結合状態を解除する場合には、上記のワイヤ１６８を引っ張った方向の反対方向に引っ張ると第１及び第２半円リング１６２、１６４のギア１７２、１７０が互いに分離される。この状態で第１及び第２半円リング１６２、１６４を手動で引っ張ることによって開けられた状態にする。
【０１４６】
この時、第２半円リング１６４の回転を所定範囲以内に制限することができる。即ち、図２８及び図２９に示すように、第１半円リング１６２の一部区間を切開して空間１３６（図２８参照）を形成し、前記第２半円リング１６４の一側面に突起１３８（図２８参照）を突出形成することにより、前記突起１３８（図２８参照）が第１半円リング１６２の空間１３６（図２８参照）内で回転されるので第２半円リング１６４の回転半径を所定範囲以内に制限できる。
【０１４７】
そして、本実施の形態に記載されたように、第１及び第２半円リングをギア形状に製作することは、本実施の形態に限定されず、上述したすべての実施の形態に適用され得る。
【０１４８】
上述のように、リングバインダーは多様な構造及び形状に設計されることができる。
【０１４９】
本発明は、当該発明が属する分野の通常の知識を有する者であれば誰でも請求の範囲で請求する本発明の要旨から逸脱することなく、多様に変更実施できるので上述した特定の好ましい実施の形態に限定されない。
【産業上の利用可能性】
【０１５０】
以上で詳述したように、本発明によるリングバインダーは、その構造を改善して体積を縮小しても十分な剛性を維持するので、文書を效率的に綴じることができる長所がある。
また、半円リングの結合状態をさらに強くすることにより相対的にフレームのサイズを小さく設計できる長所がある。
さらに、リングバインダーの構造を多様に変更することにより設計の多様化を図ることができる長所がある。
【図１】
2010510902.tif 000003
【図２】
2010510902.tif 000004
【図３Ａ】
2010510902.tif 000005
【図３Ｂ】
2010510902.tif 000006
【図４】
2010510902.tif 000007
【図５】
2010510902.tif 000008
【図６Ａ】
2010510902.tif 000009
【図６Ｂ】
2010510902.tif 000010
【図７】
2010510902.tif 000011
【図８】
2010510902.tif 000012
【図９】
2010510902.tif 000013
【図１０】
2010510902.tif 000014
【図１１】
2010510902.tif 000015
【図１２】
2010510902.tif 000016
【図１３】
2010510902.tif 000017
【図１４】
2010510902.tif 000018
【図１５】
2010510902.tif 000019
【図１６】
2010510902.tif 000020
【図１７】
2010510902.tif 000021
【図１７Ａ】
2010510902.tif 000022
【図１８】
2010510902.tif 000023
【図１９】
2010510902.tif 000024
【図２０】
2010510902.tif 000025
【図２１】
2010510902.tif 000026
【図２２】
2010510902.tif 000027
【図２３】
2010510902.tif 000028
【図２４】
2010510902.tif 000029
【図２５】
2010510902.tif 000030
【図２６】
2010510902.tif 000031
【図２７】
2010510902.tif 000032
【図２８】
2010510902.tif 000033
2010510902.tif 000034
【図２９】
2010510902.tif 000035
2010510902.tif 000036
【図３０】
2010510902.tif 000037
【図３１】
2010510902.tif 000038
【図３２】
2010510902.tif 000039
【国際調査報告】
2010510902.tif 000040
2010510902.tif 000041